(57)【要約】【課題】目視では印刷画像の存在に気づき難いうえに、最適な赤外線波長域であろうと思いこみで赤外線を適用しても、画像を読みとれず、或いは別の画像に読みとってしまい、真の画像を認識することができない機械読み取り可能な情報印刷物を提供すること。【解決手段】赤外線反射性基材上に、第１の赤外線吸収性印刷インキから構成される第１の印刷画像、及び第１の赤外線吸収性印刷インキとは異なる赤外線吸収性の第２の赤外線吸収印刷インキから構成される第２の印刷画像を備え、両印刷画像はいずれも赤外線による機械読み取りが可能で且ついずれか片方のみの機械読み取りが可能な赤外線波長域を有すること。【選択図】図３
2005246719.tif 000002
【特許請求の範囲】
【請求項１】
赤外線反射性基材の上に、第１の赤外線吸収性印刷インキから構成され且つ記録すべき情報に基づいた第１の印刷画像、及び該第１の赤外線吸収性印刷インキの赤外線波長域における赤外線吸収性とは異なる赤外線吸収性を有する第２の赤外線吸収印刷インキから構成され且つ記録すべき情報に基づいた第２の印刷画像を備え、該第１の印刷画像と第２の印刷画像は、いずれも赤外線による機械読み取りが可能で、且ついずれか片方は該片方のみの機械読み取りが可能な赤外線波長域を有することを特徴とする機械読み取り可能な情報印刷物。
【請求項２】
前記第１の印刷画像における情報と第２の印刷画像における情報とは、少なくとも一部分が相違することを特徴とする請求項１に記載の機械読み取り可能な情報印刷物。
【請求項３】
前記第１の印刷画像及び第２の印刷画像の両方を同時に読み取りが可能な赤外線波長域を有し、該赤外線波長域の赤外線によると、該第１の印刷画像と第２の印刷画像とが一纏まりの画像に読み取られることを特徴とする請求項１又は２に記載の機械読み取り可能な情報印刷物。
【請求項４】
前記第１の印刷画像及び第２の印刷画像の、少なくとも片方上に、少なくとも一部分が重なるように絵柄印刷層があることを特徴とする請求項１、２、又は３に記載の機械読み取り可能な情報印刷物。
【請求項５】
前記機械読み取りが可能な赤外線波長域が、設定した波長付近でのみ機械読み取りが可能であることを特徴とする請求項１、２、３、又は４に記載の機械読み取り可能な情報印刷物。
【請求項６】
前記第１の印刷画像又は第２の印刷画像の、少なくとも片方は、可視領域の光の吸収が少ないことを特徴とする請求項１〜５のいずれか１項に記載の機械読み取り可能な情報印刷物。
【請求項７】
前記第１の印刷画像又は第２の印刷画像の、少なくとも片方は、無色か又は淡色であることを特徴とする請求項１〜６のいずれか１項に記載の機械読み取り可能な情報印刷物。
【請求項８】
前記第１の赤外線吸収性印刷インキと第２の赤外線吸収性印刷インキの、いずれか片方の赤外線吸収性印刷インキは、赤外線による読み取りに比較的多用され易い波長域の赤外線吸収性の強いものであり、且つ、それに対応する印刷画像における情報は見せ掛けの情報であり、他方の赤外線吸収性印刷インキは、赤外線による読み取りに比較的多用され易い波長域以外の波長域の赤外線吸収性が強いものであり、且つ、それに対応する印刷画像における情報は真であることを特徴とする請求項１〜７のいずれか１項に記載の機械読み取り可能な情報印刷物。
【発明の詳細な説明】
【技術分野】
【０００１】
本発明は、赤外線により読み取り可能な秘密情報印刷物に係わり、特に、可視領域の吸収の少なく、赤外線領域の吸収が多い印刷物に関する。
【背景技術】
【０００２】
従来から株券、債券、小切手、商品券、宝くじ、定期券等の証券類に記載される情報を機械により読み取る手段として、バーコードやＯＣＲ文字等の機械読み取り可能なコードマークが設けられることが多く、通常、近赤外線領域の光を反射する基材面に、近赤外線領域の光を吸収するインキ、カーボンブラック等を含む黒色インキを用いてコードマークを形成する。
【０００３】
白色インキの赤外線反射性及び黒色インキの赤外線吸収性を利用し、機械的に読み取り可能な情報をバーコードのパターン状のコードマークとして上記証券類に付与し、これに赤外線を照射して、コードマークを走査し、その反射赤外光の強度を測定することにより記録された情報を読み取っている。そして、情報が不正に読み取られないように可視光を遮断し、赤外線を透過する隠蔽層を形成し、可視光により容易に情報が読み取られることを防止する。
【０００４】
しかし、上記カーボンブラックやロイコ染料等の赤外線吸収物質は可視領域においても光吸収性を有しているため、隠蔽層を形成しても隠蔽力が不十分であると、上記情報パターンは赤外線読み取り装置にて機械読み取りされると共に肉眼でもその存在が判読され易く依然として複写等の偽造や変造等を有効に防止する手段としては不充分であった。
【０００５】
肉眼ではその存在が判読されないようにする手段としては、従来からそれ自体が可視光領域における吸収が少なく、しかも可視領域以外の波長領域において吸収を有する材料が考えられてきた。例えば、赤外線吸収材料としての熱線吸収ガラスや赤外線吸収ガラスを粉砕し、これを顔料化したものをインキに含有させ、コードマークを形成したものである。このインキは可視光領域での吸収が少ないため、目視困難となることから偽造・変造・改ざんなどに有効な手段として考えられてきた。
【０００６】
しかし、上記インキを使用した赤外線領域を吸収する印刷物は、例えば、可視領域（４００〜７００ｎｍ）に吸収が少なく、広範囲の赤外線領域（８００ｎｍ以上）を大きく吸収するというような分光特性を持っているため、肉眼では読み取ることができず、広い赤外線領域で容易に検知が可能という利点があると共に、その利点が逆に作用し、その存在が判読され易いといった欠点になっている。
すなわち、赤外線カメラで容易に読み取ることができてしまい、コードマークが見えてしまう。そのため、赤外線カメラでパターンを読み取られて偽造が行われたり、その読み取り結果に基づいて吸収のある部分をつなぎ合わせたり、貼り合わせたりすることによって、改ざんが行われてしまうことも心配されるといった欠点となる。
【特許文献１】特開２０００‐３０９７３６号公報
【発明の開示】
【発明が解決しようとする課題】
【０００７】
本発明は、上記のような問題点に着目してなされたものであり、目視では印刷画像の存在に気づき難いうえに、最適な赤外線波長域であろうと思いこみで赤外線を適用しても、画像を読みとれず、或いは別の画像に読みとってしまい、真の画像を認識することができ
ない機械読み取り可能な情報印刷物を提供することを課題とする。
これにより、偽造の予防、改ざんの予防、その他の不正の予防、真の情報の漏洩の予防等に有効になる。また、もし不正があっても容易に発見できるものとなる。
【課題を解決するための手段】
【０００８】
本発明は、赤外線反射性基材の上に、第１の赤外線吸収性印刷インキから構成され且つ記録すべき情報に基づいた第１の印刷画像、及び該第１の赤外線吸収性印刷インキの赤外線波長域における赤外線吸収性とは異なる赤外線吸収性を有する第２の赤外線吸収印刷インキから構成され且つ記録すべき情報に基づいた第２の印刷画像を備え、該第１の印刷画像と第２の印刷画像は、いずれも赤外線による機械読み取りが可能で、且ついずれか片方は該片方のみの機械読み取りが可能な赤外線波長域を有することを特徴とする機械読み取り可能な情報印刷物である。
【０００９】
また、本発明は、上記発明による機械読み取り可能な情報印刷物において、前記第１の印刷画像における情報と第２の印刷画像における情報とは、少なくとも一部分が相違することを特徴とする機械読み取り可能な情報印刷物である。
【００１０】
また、本発明は、上記発明による機械読み取り可能な情報印刷物において、前記第１の印刷画像及び第２の印刷画像の両方を同時に読み取りが可能な赤外線波長域を有し、該赤外線波長域の赤外線によると、該第１の印刷画像と第２の印刷画像とが一纏まりの画像に読み取られることを特徴とする機械読み取り可能な情報印刷物である。
【００１１】
また、本発明は、上記発明による機械読み取り可能な情報印刷物において、前記第１の印刷画像及び第２の印刷画像の、少なくとも片方上に、少なくとも一部分が重なるように絵柄印刷層があることを特徴とする機械読み取り可能な情報印刷物である。
【００１２】
また、本発明は、上記発明による機械読み取り可能な情報印刷物において、前記機械読み取りが可能な赤外線波長域が、設定した波長付近でのみ機械読み取りが可能であることを特徴とする機械読み取り可能な情報印刷物である。
【００１３】
また、本発明は、上記発明による機械読み取り可能な情報印刷物において、前記第１の印刷画像又は第２の印刷画像の、少なくとも片方は、可視領域の光の吸収が少ないことを特徴とする機械読み取り可能な情報印刷物である。
【００１４】
また、本発明は、上記発明による機械読み取り可能な情報印刷物において、前記第１の印刷画像又は第２の印刷画像の、少なくとも片方は、無色か又は淡色であることを特徴とする機械読み取り可能な情報印刷物である。
【００１５】
また、本発明は、上記発明による機械読み取り可能な情報印刷物において、前記第１の赤外線吸収性印刷インキと第２の赤外線吸収性印刷インキの、いずれか片方の赤外線吸収性印刷インキは、赤外線による読み取りに比較的多用され易い波長域の赤外線吸収性の強いものであり、且つ、それに対応する印刷画像における情報は見せ掛けの情報であり、他方の赤外線吸収性印刷インキは、赤外線による読み取りに比較的多用され易い波長域以外の波長域の赤外線吸収性が強いものであり、且つ、それに対応する印刷画像における情報は真であることを特徴とする機械読み取り可能な情報印刷物である。
【発明の効果】
【００１６】
本発明の機械読み取り可能な情報印刷物は、可視領域の吸収が少なく、吸収波長の異なる２種類の赤外線吸収インキを用いて印刷することにより、目視では見ることができず、設定した波長以外の赤外線センサーで読み取るか、または赤外線カメラで見た場合に、異
なった画像が見えるため、偽造や改ざん又はその他の不正等を防止することに有効となる。
【発明を実施するための最良の形態】
【００１７】
以下、図面を用いて本発明の実施の形態を説明する。図１は、第１の赤外線吸収性インキを用いた第１の印刷画像と第２の赤外線吸収性インキを用いた第２の印刷画像の反射率と波長の関係を示すグラフである。図２は、本発明による機械読み取り可能な情報印刷物の一実施例の平面図である。図３は、図２に示す該情報印刷物のＸ−Ｘ線における断面図である。図４は、図２に示す該情報印刷物を設定した波長以外の赤外線カメラで見たときの平面図である。図５は、図２に示す該情報印刷物を設定した波長の赤外線カメラで見たときの平面図である。
【００１８】
図２、及び図３に示すように、本発明による機械読み取り可能な情報印刷物１は、赤外線反射性基材１４上に第１の印刷画像１１、第２の印刷画像１２が設けられ、さらに絵柄印刷層１３、１３’が設けられたものである。
第１の印刷画像１１は、第１の赤外線吸収性印刷インキから構成され且つ記録すべき情報に基づいた印刷画像である。また、第２の印刷画像１２は、第１の赤外線吸収性印刷インキの赤外線波長域における赤外線吸収性とは異なる赤外線吸収性を有する第２の赤外線吸収印刷インキから構成され且つ記録すべき情報に基づいた印刷画像である。
【００１９】
尚、本発明における赤外線反射性基材１４とは、赤外線を反射する性質を持つ基材である。特には前記第１の印刷画像とか第２の印刷画像による赤外線の反射性と比べて、反射性がかなり高いものが好適である。
【００２０】
また、赤外線吸収性印刷インキとは、印刷できるインキであって、赤外線を吸収する性質の高い特徴を有する。特に、赤外線反射性基材による赤外線の吸収性と比べて、吸収性がかなり高いものが好適である。
波長によって赤外線を吸収する特性が異なるが、これは使用する材料に主に起因する。本発明では第１の赤外線吸収性印刷インキと第２の赤外線吸収性印刷インキの少なくとも２つの赤外線吸収性印刷インキを使用するが、赤外線領域で、吸収の強い波長域と弱い波長域の相対的な関係によっては、両方を同時に読みとれる適当な赤外線波長域が有る場合も無い場合も考えられる。
図１は、第１の赤外線吸収性印刷インキを用いた第１の印刷画像、及び第２の赤外線吸収性印刷インキを用いた第２の印刷画像の赤外線吸収性を示したものである。
【実施例１】
【００２１】
以下に実施例１により本発明を詳細に説明する。
赤外線反射性基材１４としての、白色系のコート紙上にオフセット印刷により、以下の第１の赤外線吸収インキ（紫外線硬化型オフセットインキ）を用い、第１のコードマーク（第１の赤外線吸収性印刷インキから構成され且つ記録すべき情報に基づいた第１の印刷画像１１）を膜厚２μｍに印刷した。
【００２２】
続いて、第２の赤外線吸収インキ（紫外線硬化型オフセットインキ）を用い、第２のコードマーク（第１の赤外線吸収性印刷インキの赤外線波長域における赤外線吸収性とは異なる赤外線吸収性を有する第２の赤外線吸収印刷インキから構成され且つ記録すべき情報に基づいた第２の印刷画像１２）を印刷した。
コードマークは、第１のコードマークと第２のコードマークで一組のコードマークを構成している。図３に示すように、第１のコードマークのパターン間に第２のコードマークのパターンが配設されている。
［第１の赤外線吸収インキ］
赤外線吸収剤  ＣＩＲ−１０８１（日本カーリット製）  １０部
ＦＤＳメジウム                （東洋インキ製造製）  ９０部
［第２の赤外線吸収インキ］
赤外線吸収材  ＩＲ−１４  （日本触媒製）              ５部
ＦＤＳメジウム      （東洋インキ製造製）            ９５部
この上に、赤外線を吸収しないプロセスインキを用い階調のある絵柄印刷層１３を印刷した。また、この３種のプロセスインキを混合したインキを用いベタ状の絵柄印刷層を印刷しコードマークを隠蔽した。
［プロセスインキ］
ＦＤＯＬ黄ＴＣロ    （東洋インキ製造製）
ＦＤＯＬ紅ＴＣロ    （東洋インキ製造製）
ＦＤＯＬ藍ＴＣロ    （東洋インキ製造製）
以上のような方法で作製した機械読み取り可能な情報印刷物は、プロセスインキからなる絵柄印刷層によって肉眼では視認することができなかったが、７８０ｎｍの赤外線カメラ及びセンサーでは、図４に示すように、第１及び第２の赤外線吸収インキにより印刷した、第１のコードマーク１１と第２のコードマーク１２の両方を検知することができた。さらに、９５０ｎｍの赤外線カメラ及びセンサーでは、図５に示すように、３種のプロセスインキを検知することなく、第１の赤外線吸収性印刷インキを用いて印刷した第１のコードマーク１１のみを検知することができた。
【００２３】
すなわち、プロセスインキ３種には赤外線に吸収がないため、下層に存在する赤外線吸収性を有する第１のコードマーク１１と第２のコードマーク１２を検知することができ、さらに、赤外線吸収性の吸収反射特性を利用することにより、選択的な波長のセンサーのみに設定した第１のコードマーク１１を検知することができる。
【００２４】
なお、図１は、本発明における適用波長に対する第１の赤外線吸収インキからなる第１の印刷画像（第１のコードマーク）１１と第２の赤外線吸収インキからなる第２の印刷画像（第２のコードマーク）１２の反射率を示すグラフである。
これによれば、第１の印刷画像１１の分光特性は可視領域（４００〜７００ｎｍ）に吸収が少なく、赤外領域（８００ｎｍ以上）に大きな吸収を有するものである。また、第２の印刷画像１２は可視領域に吸収が少なく、赤外領域の一部に大きな吸収を有するものである。
【図面の簡単な説明】
【００２５】
【図１】第１の赤外線吸収性インキを用いた第１の印刷画像と第２の赤外線吸収性インキを用いた第２の印刷画像の反射率と波長の関係を示すグラフである。
【図２】本発明による機械読み取り可能な情報印刷物の一実施例の平面図である。
【図３】図２に示す該情報印刷物のＸ−Ｘ線における断面の一部を拡大して示す断面図である。
【図４】図２に示す該情報印刷物を設定した波長以外の赤外線カメラで見たときの平面図である。
【図５】図２に示す該情報印刷物を設定した波長の赤外線カメラで見たときの平面図である。
【符号の説明】
【００２６】
１・・・本発明による機械読み取り可能な情報印刷物
１１・・・第１のコードマーク（第１の赤外線吸収性インキからなる第１の印刷画像）
１２・・・第２のコードマーク（第２の赤外線吸収性インキからなる第２の印刷画像）
１３・・・プロセスインキからなる階調のある絵柄印刷層
１３’・・・プロセスインキを混合したベタ状の絵柄印刷層
１４・・・赤外線反射性基材
【図１】
2005246719.tif 000003
【図２】
2005246719.tif 000004
【図３】
2005246719.tif 000005
【図４】
2005246719.tif 000006
【図５】
2005246719.tif 000007